(57)【要約】【課題】  生産性が良く、塗装不良を大幅に軽減できるようにする。【解決手段】  第２ケースのフロントケースを外周側ケース部１２と内周側ケース部１３とに分割し、外周側ケース部１２と内周側ケース部１３とを第１〜第４係合部によって係脱可能に結合した。従って、外周側ケース部１２と内周側ケース部１３とをそれぞれ個別に塗装することができ、これにより外周側ケース部１２と内周側ケース部１３とを簡単に色分けすることができるので、塗装不良を大幅に軽減することができる。また、外周側ケース部１２と内周側ケース部１３とを結合する際、ビスなどの締結部材を用いずに、第１〜第４係合部によって外周側ケース部１２と内周側ケース部１３とを簡単に且つ容易に一体化することができる。これにより、生産性が良く、外周側ケース部１２と内周側ケース部１３とを容易に交換することができる。【選択図】        図４
2006140313.tif 000002
【特許請求の範囲】
【請求項１】
フロントケースとリアケースとからなる機器ケースにおいて、
前記フロントケースは、外周側ケース部と内周側ケース部とに分割されていると共に、前記外周側ケース部と前記内周側ケース部とが係合部によって係脱可能に結合されていることを特徴とする機器ケース。
【請求項２】
前記外周側ケース部と前記内周側ケース部とには、キーボードの各キーが挿入する複数のキー挿入孔がそれぞれ設けられていることを特徴とする請求項１に記載の機器ケース。
【請求項３】
前記外周側ケース部は金属により形成され、前記内周側ケース部は合成樹脂により形成されていることを特徴とする請求項１または２に記載の機器ケース。
【請求項４】
前記外周側ケース部はエラストマにより形成され、前記内周側ケース部は合成樹脂により形成されていることを特徴とする請求項１または２に記載の機器ケース。
【請求項５】
前記外周側ケース部は合成樹脂により形成され、前記内周側ケース部は光透過性を有する合成樹脂により形成されていることを特徴とする請求項１または２に記載の機器ケース。
【請求項６】
前記内周側ケース部は、第１ケース部と第２ケース部とに分割されていることを特徴とする請求項１〜５のいずれかに記載の機器ケース。
【請求項７】
前記内周側ケース部は、表裏対称に形成され、且つその表裏面が互いに異なる色で形成されていることを特徴とする請求項１〜６のいずれかに記載の機器ケース。
【請求項８】
前記係合部のうち、少なくとも前記内周側ケース部側に設けられた前記係合部の一部は、前記内周側ケース部の厚み方向に対して対称に形成されていることを特徴とする請求項７に記載の機器ケース。
【発明の詳細な説明】
【技術分野】
【０００１】
この発明は、電子辞書、携帯電話機、ＰＤＡ（パーソナル・デジタル・アシスタント）などの電子機器の機器ケースに関する。
【背景技術】
【０００２】
例えば、電子辞書などの電子機器においては、第１ケースと第２ケースとをヒンジ部によって回動可能に連結し、このヒンジ部を中心に第１、第２ケースを相対的に回動させて閉じたときに、第１ケースと第２ケースとの間に中ケースが挟まれて重なり合い、第１、第２ケースを相対的に回動させて開くと、中ケースが第２ケース上をスライドして傾斜し、この状態で第１ケースに設けられた表示部を見ながら中ケースに設けられたキーボードを操作できるように構成したものがある。
【特許文献１】特開２００４−０２１４５１号
【０００３】
このような特許文献１の電子機器では、キーボードが文字キー、カーソルキー、機能キーなどの各種のキーを備えており、これら各キーのキー操作性を向上させるため、各キーが中ケースである機器ケースに、キー機能や使用頻度に応じて種類ごとに区分けされて配列されていると共に、機器ケースにおける区分けされたキー領域ごとに色分けされている。例えば、文字キーが配列された機器ケースのキー領域と、カーソルキーが配列される機器ケースのキー領域とは、異なる色で塗装されている。
【発明の開示】
【発明が解決しようとする課題】
【０００４】
しかしながら、このような従来の機器ケースでは、キー領域ごとに色分けする場合、色分けする部分にマスクを施して塗装しているが、どうしても塗料がはみだしたり、見切り部分がストレートになりずらく、塗装不良率が高いという問題がある。また、このようなマスキングク塗装では、機器ケースごとにマスク治具をセットして塗装し、塗装した後にマスク治具を取り外さなければならないため、塗装作業が煩雑で面倒であり、生産性が悪いという問題もある。
【０００５】
この発明が解決しようとする課題は、生産性が良く、塗装不良を大幅に軽減することができる機器ケースを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図２１に示すように、フロントケース（１０）とリアケース（１１）とからなる機器ケースにおいて、前記フロントケース（１０）が、外周側ケース部（１２）と内周側ケース部（１３、３０、４０、５０）とに分割されていると共に、前記外周側ケース部と前記内周側ケース部とが係合部（第１〜第４係合部１４〜１７、３１〜３４）によって係脱可能に結合されていることを特徴とする機器ケースである。
【０００８】
請求項２に記載の発明は、図１〜図２１に示すように、前記外周側ケース部（１２）と前記内周側ケース部（１３、３０、４０、５０）とに、キーボード（５）の各キー（キートップ５ａ）が挿入する複数のキー挿入孔（１２ｃ、１３ａ、４１ａ、４２ａ、５１ａ、５２ａ）がそれぞれ設けられていることを特徴とする請求項１に記載の機器ケースである。
【０００９】
請求項３に記載の発明は、図１〜図２１に示すように、前記外周側ケース部（１２）が金属により形成され、前記内周側ケース部（１３、３０、４０、５０）が合成樹脂により形成されていることを特徴とする請求項１または２に記載の機器ケースである。
【００１０】
請求項４に記載の発明は、図１〜図２１に示すように、前記外周側ケース部（１２）がエラストマにより形成され、前記内周側ケース部（１３、３０、４０、５０）が合成樹脂により形成されていることを特徴とする請求項１または２に記載の機器ケースである。
【００１１】
請求項５に記載の発明は、図１〜図２１に示すように、前記外周側ケース部（１２）が合成樹脂により形成され、前記内周側ケース部（１３、３０、４０、５０）が光透過性を有する合成樹脂により形成されていることを特徴とする請求項１または２に記載の機器ケースである。
【００１２】
請求項６に記載の発明は、図１６〜図２１に示すように、前記内周側ケース部（４０、５０）が、第１ケース部（４１、５１）と第２ケース部（４２、５２）とに分割されていることを特徴とする請求項１〜５のいずれかに記載の機器ケースである。
【００１３】
請求項７に記載の発明は、図１０〜図１５、図１９〜図２１に示すように、前記内周側ケース部（３０、５０）が、表裏対称に形成され、且つその表裏面が互いに異なる色で形成されていることを特徴とする請求項１〜６のいずれかに記載の機器ケースである。
【００１４】
請求項８に記載の発明は、図１０〜図１５、図１９〜図２１に示すように、前記係合部（第１〜第４係合部３１〜３４）のうち、少なくとも前記内周側ケース部（３０、５０）側に設けられた前記係合部（第１〜第４係合部３１〜３４）の一部（鍔部３５、３７、係合突起３８、係止孔３９）が、前記内周側ケース部の厚み方向に対して対称に形成されていることを特徴とする請求項７に記載の機器ケースである。
【発明の効果】
【００１５】
請求項１に記載の発明によれば、フロントケースが外周側ケース部と内周側ケース部とに分割されているので、外周側ケース部と内周側ケース部とをそれぞれ個別に塗装することができ、これにより外周側ケース部と内周側ケース部とを簡単に色分けすることができるので、塗装不良を大幅に軽減することができる。また、外周側ケース部と内周側ケース部とを係合部によって係脱可能に結合しているので、ビスなどの締結部材を用いずに、係合部によって外周側ケース部と内周側ケース部とを簡単に且つ容易に一体化することができる。これにより、生産性が良いばかりか、外周側ケース部と内周側ケース部とを容易に交換することができるので、機器ケースの色の組み合わせを自由に変えることができる。
【００１６】
請求項２に記載の発明によれば、外周側ケース部と内周側ケース部とに、キーボードの各キーが挿入する複数のキー挿入孔がそれぞれ設けられていることにより、外周側ケース部と内周側ケース部とを色分けすると、外周側ケース部に設けられた複数のキーの背景と内周側ケース部に設けられた複数のキーの背景とが異なる色になるので、装飾性が良いばかりか、外周側ケース部の複数のキーと内周側ケース部の複数のキーとを背景色によって識別することができ、これによりキー操作性の良いものを得ることができる。
【００１７】
請求項３に記載の発明によれば、外周側ケース部が金属により形成され、内周側ケース部が合成樹脂により形成されていることにより、金属からなる外周側ケース部によって機器ケース全体の剛性を高めることができる。これにより、機器ケース内に設けられる補強部材を廃止することができるので、機器ケース全体の強度を高めても、部品点数を削減することができると共に、低価格なものを得ることができる。
【００１８】
請求項４に記載の発明によれば、外周側ケース部がエラストマにより形成され、内周側ケース部が合成樹脂により形成されていることにより、エラストマからなる外周ケース部によって機器ケースの耐衝撃性を高めることができる。このため、機器ケースのフロントケースが外部から衝撃を受けても、機器ケースの内部に設けられた電子部品を良好に保護することができる。
【００１９】
請求項５に記載の発明によれば、外周側ケース部が合成樹脂により形成され、内周側ケース部が光透過性を有する合成樹脂により形成されていることにより、光透過性を有する合成樹脂からなる内周側ケース部を導光板として使用することができる。このため、機器ケース内に照明用の光源を設けることにより、暗い所でキー操作するときに、光源からの光を内周側ケース部で導いて各キーを明るく照明することができるので、暗い所でも良好にキー操作することができる。
【００２０】
請求項６に記載の発明によれば、内周側ケース部が第１ケース部と第２ケース部とに分割されていることにより、内周側ケース部の第１ケース部と第２ケース部とを色分けることができ、これにより内周側ケース部の色バリエーションが豊富になり、この内周側ケース部と外周側ケース部とによって機器ケース全体の色バリエーションを更に豊富にすることができ、より一層、装飾性の高いものを得ることができる。
【００２１】
請求項７に記載の発明によれば、内周側ケース部が表裏対称に形成され、且つその表裏面が互いに異なる色で形成されていることにより、内周側ケース部を表裏反転させるだけで内周側ケース部の色を簡単に替えることができ、これにより部品点数を増やすことなく、機器ケースの色の組み合わせを増やすことができるので、より一層、色バリエーションを豊富にすることができる。
【００２２】
請求項８に記載の発明によれば、係合部のうち、少なくとも内周側ケース部側に設けられた係合部の一部が内周側ケース部の厚み方向に対して対称に形成されていることにより、内周側ケース部を表裏反転させても、係合部の一部によって外周側ケース部に対し内周側ケース部を表裏同じ状態で簡単に取り付けて一体化することができる。
【発明を実施するための最良の形態】
【００２３】
（実施形態１）
以下、図１〜図９を参照して、この発明の電子機器を電子辞書に適用した実施形態１について説明する。
図１はこの発明を適用した電子辞書を開いて使用する状態を示した斜視図、図２はその側面図である。
この電子辞書は、図１および図２に示すように、互いに重なり合う第１ケース１と第２ケース２とを備え、これら第１ケース１と第２ケース２とをヒンジ部３によって回動可能に連結し、このヒンジ部を中心に第１、第２ケース１、２が相対的に回動して開閉する折り畳み式の構成になっている。
【００２４】
第１ケース１は、図１に示すように、全体がほぼ長方形の平板状に形成され、第２ケース２に対向する対向面側（図１では表面側）に表示部４がその表示面を露出させた状態で設けられた構成になっている。この表示部４は、液晶表示素子やＥＬ表示素子（エレクトロルミネッセンス表示素子）などの平面型の表示素子からなり、辞書関連の情報や時刻などの各種の情報を電気光学的に表示するように構成されている。
【００２５】
また、第２ケース２は、図１および図２に示すように、第１ケース１とほぼ同じ形状で同じ大きさに形成され、第１ケース１に対向する対向面側（図１では表面側）にキーボード５がその各キートップ５ａを露出させた状態で設けられた構成になっている。このキーボード５は、図１に示すように、文字キー、カーソルキー、ファンクションキーなどの電子辞書に必要な各種のキーを備えている。
【００２６】
ヒンジ部３は、図１および図２に示すように、第１ケース１の一方の長辺部（図１では下側に位置する長辺部）における両端部に設けられたほぼ円筒状の一対の第１ヒンジ筒部６と、これに対向する第２ケース２の長辺部（図１では上側に位置する長辺部）における中間部分に設けられたほぼ円筒状の第２ヒンジ筒部７とを備え、第１ケース１の両端部の第１ヒンジ筒部６間に第２ケース２の中間部分の第２ヒンジ筒部７を配置し、この状態で第１ヒンジ筒部６と第２ヒンジ筒部７とを回動可能に連結した構成になっている。
【００２７】
ところで、第１、第２ケース１、２のうち、キーボード５が設けられた第２ケース２は、図１および図２に示すように、フロントケース１０とリアケース１１とからなり、その内部にキーボード５および回路基板（図示せず）が設けられるように構成されている。この場合、リアケース１１は、アルミ合金などの金属で形成されている。フロントケース１０は、図３〜図５に示すように、外周側ケース部１２と内周側ケース部１３とに分割され、この外周側ケース部１２と内周側ケース部１３とが第１〜第４係合部１４〜１７によって係脱可能に結合されるように構成されている。
【００２８】
外周側ケース部１２は、合成樹脂からなり、図４（ａ）に示すように、ヒンジ部３側（同図では上部側）の長辺部を除く、両側の側部１２ａと手前側部１２ｂとからなる凹字形のほぼ枠状に形成されている。この場合、外周側ケース部１２は、その手前側部１２ｂが幅広に形成され、この幅広部分の手前側部１２ｂにキー挿入孔１２ｃが複数設けられている。これらキー挿入孔１２ｃは、キーボード５の各キートップ５ａのうち、例えばカーソルキー、決定キー、シフトキーなどの各キートップ５ａがそれぞれ下側から挿入するように構成されている。
【００２９】
内周側ケース部１３は、外周側ケース部１２と同じ合成樹脂か、または異なる合成樹脂からなり、図４（ｂ）に示すように、外周側ケース部１２の内部に嵌合するほぼ平板状に形成され、そのほぼ全域にキー挿入孔１３ａが多数設けられた構成になっている。これらキー挿入孔１３ａは、キーボード５の各キートップ５ａのうち、例えば文字キー、ファンクションキーなどの各キートップ５ａがそれぞれ下側から挿入するように構成されている。
【００３０】
この場合、外周側ケース部１２と内周側ケース部１３とは、それぞれ異なる色で塗装されている。例えば、外周側ケース部１２は、赤、黒、白、グレーなどのいずれかの色で塗装されており、内周側ケース部１３は、外周側ケース部１２と異なる黒、青、緑、黄、オレンジなどのいずれかの色で塗装されている。これにより、外周側ケース部１２に配置された各キートップ５ａの背景と、内周側ケース部１３に配置された各キートップ５ａの背景とが異なる色になり、外周側ケース部１２のキートップ５ａと内周側ケース部１３のキートップ５ａとを識別できるように構成されている。
【００３１】
一方、外周側ケース部１２と内周側ケース部１３とを係脱可能に結合する第１〜第４係合部１４〜１７のうち、第１係合部１４は、図５および図７に示すように、外周側ケース部１２の手前側部１２ｂにおけるほぼ中間部の裏面（図７では下面）に設けられた係合突起１８と、この外周側ケース部１２の手前側部１２ｂに対向する内周側ケース部１３の縁部にその下部側から外周側（図７では右側）に向けて突出して設けられ、外周側ケース部１２の係合突起１８の下側に配置される鍔部１９とを備えた構成になっている。
【００３２】
そして、この第１係合部１４は、図７に示すように、内周側ケース部１３の鍔部１９に設けられた係止孔１９ａに、外周側ケース部１２の係合突起１８が係脱可能に係合することにより、内周側ケース部１３を外周側ケース部１３に結合させるように構成されている。この場合、第１係合部１４は、外周側ケース部１２の係合突起１８が内周側ケース部１３の鍔部１９に設けられた係止孔１９ａに係合したときに、図７に示すように、外周側ケース部１２の上面と内周側ケース部１３の上面とがほぼ同一平面になるように構成されている。
【００３３】
第２係合部１５は、図５および図８に示すように、外周側ケース部１２の手前側部１２ｂにおける両側部の縁部にその下部側から内周側（図８では左側）に向けて突出して設けられた枠状突起２０と、これに対向する内周側ケース部１３の縁部の両側における裏面（図８では下面）に設けられて枠状突起２０内に上方から係脱可能に係合する係止突起２１とを備えた構成になっている。この第２係合部１５は、外周側ケース部１２の枠状突起２０に内周側ケース部１３の係止突起２１が係合したときに、図８に示すように、外周側ケース部１２の上面と内周側ケース部１３の上面とがほぼ同一平面になるように構成されている。
【００３４】
第３係合部１６は、図５および図９に示すように、外周側ケース部１２の手前側部１２ｂと反対側に位置する両側の側壁部２２の内周面に設けられた係止凹部２３と、これに対向する内周側ケース部１３の縁部に設けられたフック部２４とを備え、このフック部２４に設けられた係合突起２４ａが外周側ケース部１２の係止凹部２３に係脱可能に係合するように構成されている。この第３係合部１６も、外周側ケース部１２の係止凹部２３に内周側ケース部１３のフック部２４の係合突起２４ａが係合したときに、図９に示すように、外周側ケース部１２の上面と内周側ケース部１３の上面とがほぼ同一平面になるように構成されている。
【００３５】
第４係合部１７は、図５に示すように、外周側ケース部１２の両側の側部１２ａにおける各裏面（図５では各上面）に設けられた係合突起２５と、この外周側ケース部１２の両側部１２ａに対向する内周側ケース部１３の両側の縁部に設けられた係止孔２６とを備え、この係止孔２６に外周側ケース部１２の係合突起２５が係脱可能に係合するように構成されている。この第４係合部１７も、外周側ケース部１２の係合突起２５が内周側ケース部１３の縁部に設けられた係止孔２６に係合したときに、外周側ケース部１２の上面と内周側ケース部１３の上面とがほぼ同一平面になるように構成されている。
【００３６】
このような電子辞書の第２ケース２によれば、フロントケース１０とリアケース１１とを備え、フロントケース１０が外周側ケース部１２と内周側ケース部１３とに分割されているので、外周側ケース部１２と内周側ケース部１３とをそれぞれ個別に塗装することができる。このため、従来のようにマスクを用いずに、外周側ケース部１２と内周側ケース部１３とを簡単に塗装して色分けすることができるので、塗装不良を大幅に軽減することができる。
【００３７】
また、この第２ケース２のフロントケース１０によれば、外周側ケース部１２と内周側ケース部１２とが第１〜第４係合部１４〜１７によって係脱可能に結合されているので、ビスなどの締結部材を用いずに、第１〜第４係合部１４〜１７によって外周側ケース部１２と内周側ケース部１３とを簡単に且つ容易に一体化することができる。このため、組み立て作業性が良く、生産性の向上を図ることができるほか、外周側ケース部１２と内周側ケース部１３とを容易に交換することができるので、外周側ケース部１２と内周側ケース部１３との色の組み合わせを変えることができ、これによりフロントケース１０の色バリエーションが豊富になり、装飾性の良いものを得ることができる。
【００３８】
この場合、外周側ケース部１２のキー挿入孔１２ｃと内周側ケース部１３のキー挿入孔１３ａとにそれぞれキーボード５の各キートップ５ａがそれぞれ挿入して配置されることにより、外周側ケース部１２と内周側ケース部１３とを色分けすると、外周側ケース部１２に設けられた複数のキートップ５ａの背景と内周側ケース部１３に設けられた複数のキートップ５ａの背景とが異なる色になる。
【００３９】
このため、外周側ケース部１２の複数のキートップ５ａと内周側ケース部１３の複数のキートップ５ａとを背景色によって識別することができ、これによりキー操作性の良いものを得ることができる。特に、外周側ケース部１２と内周側ケース部１３とをそれぞれ交換することにより、外周側ケース部１２のキートップ５ａの背景色と内周側ケース部１３のキートップ５ａの背景色とを使用者の好みに応じて自由に替えることができる。
【００４０】
（実施形態２）
次に、図１０〜図１５を参照して、この発明の電子機器を電子辞書に適用した実施形態２について説明する。なお、図１〜図９に示された実施形態１と同一部分には同一符号を付して説明する。
この電子辞書の第２ケース２は、フロントケース１０の内周側ケース部３０を表裏対称に形成すると共に、この内周側ケース部３０と外周側ケース部１２とを係脱可能に結合する第１〜第４係合部３１〜３４のうち、内周側ケース部３０に設けられる第１〜第４係合部３１〜３４の各一部を内周側ケース部３０の厚み方向に対して対称に形成した構成になっている。
【００４１】
すなわち、内周側ケース部３０は、実施形態１と同様、外周側ケース部１２と同じ合成樹脂か、または異なる合成樹脂からなり、図１０および図１１に示すように、外周側ケース部１２の内部に嵌合するほぼ平板状に形成され、そのほぼ全域に多数のキー挿入孔１３ａが左右対称で且つ内周側ケース部３０の厚み方向に対しても対称に形成され、これにより内周側ケース部３０の全体が表裏対称に形成された構成になっている。この場合、内周側ケース部３０は、外周側ケース部１２と異なる色、例えば黒、青、緑、黄、オレンジなどのいずれかの色で塗装されているほか、内周側ケース部３０の表面３０ａと裏面３０ｂとが互いに異なる色で塗装されている。
【００４２】
また、内周側ケース部３０と外周側ケース部１２とを係脱可能に結合する第１〜第４係合部３１〜３４のうち、第１係合部３１は、図１１および図１２に示すように、外周側ケース部１２の手前側部１２ｂにおける中間部に形成された薄肉部の裏面（図１２では下面）に設けられた係合突起１８と、これに対向する内周側ケース部３０の側面における厚み方向の中間部に外周側（図１２では右側）に向けて突出して設けられた鍔部３５とを備え、図１２に示すように、内周側ケース部３０の鍔部３５に上下貫通して設けられた係止孔３５ａに、外周側ケース部１２の係合突起１８が係脱可能に係合することにより、内周側ケース部３０を外周側ケース部１３に結合するように構成されている。
【００４３】
これにより、第１係合部３１は、図１２に示すように、内周側ケース部３０の鍔部３５がその厚み方向に対して対称に形成され、内周側ケース部３０を表裏反転させても、外周側ケース部１２の係合突起１８が内周側ケース部３０の鍔部３５に設けられた係止孔３５ａに係合したときに、図１２に示すように、外周側ケース部１２の上面と内周側ケース部３０の上面（つまり表面３０ａと裏面３０ｂとの一方の面）とがほぼ同一平面になるように構成されている。
【００４４】
第２係合部３２は、図１１および図１３に示すように、外周側ケース部１２の手前側部１２ｂの両側部に形成された薄肉部の裏面（図１３では下面）に設けられた係合突起３６と、これに対向する内周側ケース部３０の側面における厚み方向の中間部に外周側（図１２では右側）に向けて設けられた鍔部３７とを備え、図１３に示すように、内周側ケース部３０の鍔部３７に設けられた係止孔３７ａに、外周側ケース部１２の係合突起３６が係脱可能に係合することにより、内周側ケース部３０を外周側ケース部１３に結合するように構成されている。
【００４５】
これにより、第２係合部３２は、図１３に示すように、内周側ケース部３０の鍔部３７がその厚み方向に対し対称に形成され、内周側ケース部３０を表裏反転させても、外周側ケース部１２の係合突起３６が内周側ケース部３０の鍔部３７の係止孔３７ａに係合したときに、図１３に示すように、外周側ケース部１２の上面と内周側ケース部３０の上面（つまり表面３０ａと裏面３０ｂとの一方の面）とがほぼ同一平面になるように構成されている。
【００４６】
第３係合部３３は、図１１および図１４に示すように、外周側ケース部１２の手前側部１２ｂと反対側に位置する両側に設けられた側壁部２２の内側面に設けられた係止凹部２３と、これに対向する内周側ケース部３０の内周面における厚み方向の中間部に設けられた係合突起３８とを備え、図１４に示すように、内周側ケース部３０の係合突起３８が外周側ケース部１２の係止凹部２３に係脱可能に係合することにより、内周側ケース部３０を外周側ケース部１３に結合するように構成されている。
【００４７】
これにより、第３係合部３３は、内周側ケース部３０の係合突起３８がその厚み方向に対し対称に形成され、内周側ケース部３０を表裏反転させても、外周側ケース部１２の係止凹部２３に内周側ケース部３０の係合突起３８が係合したときに、図１４に示すように、外周側ケース部１２の上面と内周側ケース部３０の上面（つまり表面３０ａと裏面３０ｂとの一方の面）とがほぼ同一平面になるように構成されている。
【００４８】
第４係合部３４は、図１１に示すように、外周側ケース部１２の両側の側部１２ａの裏面（図１１では上面）に設けられた係合突起２５と、これに対向する内周側ケース部３０の両側面の厚み方向における中間部に設けられた鍔状縁部に上下貫通して設けられた係止孔３９とを備え、この係止孔３９に外周側ケース部１２の係合突起２５が係脱可能に係合することにより、内周側ケース部３０を外周側ケース部１３に結合するように構成されている。
【００４９】
この第４係合部３４も、内周側ケース部３０の係止孔３９がその厚み方向に対称に形成され、内周側ケース部３０を表裏反転させても、外周側ケース部１２の係合突起２５が内周側ケース部３０の鍔状縁部に設けられた係止孔２６に係合したときに、外周側ケース部１２の上面と内周側ケース部３０の上面（つまり表面３０ａと裏面３０ｂとの一方の面）とがほぼ同一平面になるように構成されている。
【００５０】
このような電子辞書の第２ケース２によれば、フロントケース１０とリアケース１１とを備え、フロントケース１０が外周側ケース部１２と内周側ケース部３０とに分割されているので、実施形態１と同様の作用効果があるほか、特に内周側ケース部３０が表裏対称に形成されているので、図１５に示すように、内周側ケース部３０を表裏反転させても、内周側ケース部３０と外周側ケース部１２とを第１〜第４係合部３１〜３４によって係脱可能に結合することができる。
【００５１】
この場合、特に内周側ケース部３０は、表面３０ａと裏面３０ｂとが異なる色で塗装されていることにより、内周側ケース部３０の表面３０ａを外周側ケース部１２の表面側に向けて外周側ケース部１２に取り付けると、この内周側ケース部３０の表面３０ａの色と外周側ケース部１２の色との組み合わせができる。また、内周側ケース部３０の裏面３０ｂを外周側ケース部１２の表面側に向けて外周側ケース部１２に取り付けると、この内周側ケース部３０の裏面３０ｂの色と外周側ケース部１２の色との組み合わせができる。
【００５２】
このため、この第２ケース２のフロントケース１０によれば、図１５に示すように、内周側ケース部３０を表裏反転させて外周側ケース部１２に取り付けるだけで、内周側ケース部３０の色を簡単に替えることができ、これにより部品点数を増やすことなく、内周側ケース部３０と外周側ケース部１２とによって色の組み合わせを増やすことができるので、より一層、フロントケース１０の色バリエーションを豊富にすることができる。
【００５３】
特に、外周側ケース部１２と内周側ケース部３０とを係脱可能に結合する第１〜第４係合部３１〜３４のうち、内周側ケース部３０に設けられた第１〜第４係合部３１〜３４の各一部、つまり第１係合部３１の鍔部３５およびその係止孔３５ａ、第２係合部３２の鍔部３７およびその係止孔３７ａ、第３係合部３３の係合突起３８、第４係合部３４の鍔状縁部の係止孔３９が、それぞれ内周側ケース部３０の厚み方向に対し対称に形成されているので、内周側ケース部３０を表裏反転させても、第１〜第４係合部３１〜３４によって外周側ケース部１２に対し内周側ケース部３０を表裏同じ状態で簡単に且つ容易に取り付けて一体化することができる。
【００５４】
（実施形態３）
次に、図１６〜図１８を参照して、この発明の電子機器を電子辞書に適用した実施形態３について説明する。この場合にも、図１〜図９に示された実施形態１と同一部分には同一符号を付して説明する。
この電子辞書の第２ケース２は、フロントケース１０の内周側ケース部４０を第１ケース部４１と第２ケース部４２とに分割し、これら第１、第２ケース部４１、４２と外周側ケース部１２とを第１〜第４係合部１４〜１７によって係脱可能に結合する構成で、これ以外は実施形態１とほぼ同じ構成になっている。
【００５５】
すなわち、内周側ケース部４０の第１ケース部４１は、図１６および図１７に示すように、外周側ケース部１２の内部にその上部側を除いて嵌合するほぼ平板状に形成され、そのほぼ全域にキー挿入孔４１ａが多数設けられた構成になっている。これらキー挿入孔４１ａは、キーボード５の各キートップ５ａのうち、例えば文字キー、ジャンルキーなどの各キートップ５ａが下側から挿入するように構成されている。
【００５６】
また、第２ケース部４２は、図１６および図１７に示すように、第１ケース部４１の上部側に配置されて、外周側ケース部１２内の上部側に嵌合するほぼ帯板状に形成され、そのほぼ全域に複数のキー挿入孔４２ａが一列に設けられた構成になっている。これらキー挿入孔４２ａは、キーボード５の各キートップ５ａのうち、例えばファンクションキーなどの各キートップ５ａが下側から挿入するように構成されている。
【００５７】
この場合、第１ケース部４１と第２ケース部４２とは、それぞれ異なる色で塗装されている。例えば、第１ケース部４１は、外周側ケース部１２と第２ケース部４２との両者の色と異なる黒、青、緑、黄、オレンジなどのいずれかの色で塗装されている。第２ケース部４２は、外周側ケース部１２と第１ケース部４１との両者の色と異なる黒、青、緑、黄、オレンジなどのいずれかの色で塗装されている。
【００５８】
これにより、第１ケース部４１に配置された各キートップ５ａの背景と、第２ケース部４２に配置された各キートップ５ａの背景とが異なる色になり、第１ケース部４１のキートップ５ａと第２ケース部４２のキートップ５ａとが識別できるように構成されている。また、この場合にも、外周側ケース部１２に配置された各キートップ５ａの背景と、第１、第２ケース部４１、４２に配置された各キートップ５ａの背景とは異なる色になり、外周側ケース部１２のキートップ５ａと第１、第２ケース部４１、４２のキートップ５ａとが識別できるように構成されている。
【００５９】
また、内周側ケース部４０の第１ケース部４１と外周側ケース部１２とは、第１、第２、第４係合部１４、１５、１７によって係脱可能に結合されるように構成されており、内周側ケース部４０の第２ケース部４２と外周側ケース部１２とは、第３、第４係合部１６、１７によって係脱可能に結合されるように構成されている。これら第１〜第４係合部１４〜１７は、実施形態１とほぼ同じ構成になっている。
【００６０】
すなわち、第１係合部１４は、図７に示した実施形態１と同様、外周側ケース部１２の手前側部１２ｂの中間部に設けられた係合突起１８と、内周側ケース部４０の第１ケース部４１の縁部に設けられた鍔部１９とを備え、この鍔部１９に設けられた係止孔１９ａに外周側ケース部１２の係合突起１８が係脱可能に係合し、この状態のときに、外周側ケース部１２の上面と内周側ケース部４０の第１ケース部４１の上面とがほぼ同一平面になるように構成されている。
【００６１】
第２係合部１５も、図８に示した実施形態１と同様、外周側ケース部１２の手前側部１２ｂのほぼ両側部に設けられた枠状突起２０と、内周側ケース部４０の第１ケース部４１の両側縁部に設けられた係止突起２１とを備え、この係止突起２１が外周側ケース部１２の枠状突起２０に係脱可能に係合し、この状態のときに外周側ケース部１２の上面と内周側ケース部４０の第１ケース部４１の上面とがほぼ同一平面になるように構成されている。
【００６２】
第３係合部１６は、図９に示した実施形態１と同様、外周側ケース部１２の手前側部１２ｂと反対側に位置する両側の側壁部２２の内周面に設けられた係止凹部２３と、内周側ケース部４０の第２ケース部４２の縁部に設けられたフック部２４とを備え、このフック部２４に設けられた係合突起２４ａが外周側ケース部１２の係止凹部２３に係脱可能に係合し、この状態のときに外周側ケース部１２の上面と内周側ケース部４０の第２ケース部４２の上面とがほぼ同一平面になるように構成されている。
【００６３】
第４係合部１７は、図６に示した実施形態１と同様、外周側ケース部１２の両側の側部１２ａにおける裏面に設けられた係合突起２５と、内周側ケース部４０の第１、第２ケース部４１、４２の各両側の縁部に設けられた鍔部２６とを備え、この鍔部２６に設けられた係止孔２６ａに外周側ケース部１２の係合突起２５が係脱可能に係合し、この状態のときに外周側ケース部１２の上面と内周側ケース部４０の第１、第２ケース部４１、４２の各上面とがほぼ同一平面になるように構成されている。
【００６４】
このような電子辞書の第２ケース２によれば、フロントケース１０が外周側ケース部１２と内周側ケース部４０とに分割されているので、実施形態１と同様の作用効果があるほか、特に内周側ケース部４０が更に第１ケース部４１と第２ケース部４２とに分割されているので、内周側ケース部４０の第１、第２ケース部４１、４２をそれぞれ個別に塗装することができ、これにより内周側ケース部４０の第１ケース部４１と第２ケース部４２とを色分けることができる。このため、内周側ケース４０の色バリエーションが豊富になり、この内周側ケース部４０と外周側ケース部１２とによって、より一層、フロントケース１０の色バリエーションを豊富にすることができる。
【００６５】
また、この第２ケース２のフロントケース１０によれば、内周側ケース部４０が第１ケース部４１と第２ケース部４２とに分割され、これら第１、第２ケース部４１、４２と外周側ケース部１２とを第１〜第４係合部１４〜１７によって係脱可能に結合しているので、内周側ケース部４０を第１ケース部４１と第２ケース部４２とに分割しても、ビスなどの締結部材を用いずに、第１〜第４係合部１４〜１７によって第１、第２ケース部４１、４２と外周側ケース部１２とを簡単に且つ容易に一体化することができる。このため、生産性が良く、内周側ケース部４０の第１、第２ケース部４１、４２と外周側ケース部１２とを容易に交換することができる。
【００６６】
この場合、内周側ケース部４０の第１、第２ケース部４１、４２に、キーボード５の複数のキートップ５ａが挿入するキー挿入孔４１ａ、４２ａがそれぞれ設けられていることにより、第１、第２ケース部４１、４２を色分けすると、第１ケース部４１に設けられた各キートップ５ａの背景と第２ケース部４２に設けられた各キートップ５ａの背景とが異なる色になるので、第１ケース部４１の各キートップ５ａと第２ケース部４２の各キートップ５ａとを背景色によって識別することができる。
【００６７】
特に、内周側ケース部４０の第１、第２ケース部４１、４２に設けられた各キートップ５ａの各背景と、外周側ケース部１２に設けられた各キートップ５ａの背景とが、異なる色になるので、内周側ケース部４０の第１、第２ケース部４１、４２の各キートップ５ａと外周側ケース部１２の各キートップ５ａとをそれぞれ異なる色の背景色によって識別することができ、これにより、より一層、キー操作性の良いものを得ることができる。
【００６８】
（実施形態４）
次に、図１９〜図２１を参照して、この発明の電子機器を電子辞書に適用した実施形態４について説明する。この場合には、図１〜図１８に示された実施形態１〜３と同一部分に同一符号を付して説明する。
この電子辞書の第２ケース２は、フロントケース１０の内周側ケース部５０を第１ケース部５１と第２ケース部５２とに分割し、これら第１、第２ケース部５１、５２を表裏対称に形成すると共に、第１、第２ケース部５１、５２と外周側ケース部１２とを係脱可能に結合する第１〜第４係合部３１〜３４のうち、内周側ケース部５０に設けられる第１〜第４係合部３１〜３４の各一部を内周側ケース部５０の厚み方向に対し対称に形成した構成になっている。
【００６９】
すなわち、内周側ケース部５０の第１、第２ケース部５１、５２のうち、第１ケース部５１は、実施形態３と同様、外周側ケース部１２の内部にその上部側を除いて嵌合するほぼ平板状に形成され、そのほぼ全域に多数のキー挿入孔５１ａが左右対称で且つ第１ケース部５１の厚み方向に対しても対称に形成され、これにより第１ケース部５１全体が表裏対称に形成された構成になっている。
【００７０】
この場合、第１ケース部５１は、外周側ケース部１２と異なる色、例えば黒、青、緑、黄、オレンジなどのいずれかの色で塗装されていると共に、第１ケース部５１の表面５１ｂと裏面５１ｃとも互いに異なる色で塗装されている。また、キー挿入孔５１ａは、キーボード５の各キートップ５ａのうち、例えば文字キー、ジャンルキーなどの各キートップ５ａが下側から挿入するように構成されている。
【００７１】
また、第２ケース部５２は、実施形態３と同様、第１ケース部５１の上部側に配置されて、外周側ケース部１２の内部の上部側に嵌合するほぼ帯板状に形成され、そのほぼ全域に複数のキー挿入孔５２ａが一列で左右対称に設けられていると共に、第２ケース部５２の厚み方向に対しても対称に形成され、これにより第２ケース部５２全体が表裏対称に形成された構成になっている。
【００７２】
この場合にも、第２ケース部５２は、外周側ケース部１２と第１ケース部５１との両者と異なる色、例えば黒、青、緑、黄、オレンジなどのいずれかの色で塗装されていると共に、第２ケース部５２の表面５２ｂと裏面５２ｃとも互いに異なる色で塗装されている。また、これらキー挿入孔５２ａは、キーボード５の各キートップ５ａのうち、例えばファンクションキーなどの各キートップ５ａが下側から挿入するように構成されている。
【００７３】
一方、内周側ケース部５０の第１ケース部５１と外周側ケース部１２とは、第１、第２、第４係合部３１、３２、３４によって係脱可能に結合されるように構成されており、内周側ケース部５０の第２ケース部５２と外周側ケース部１２とは、第３、第４係合部３３、３４によって係脱可能に結合されるように構成されている。これら第１〜第４係合部３１〜３４は、実施形態２とほぼ同じ構成になっている。
【００７４】
すなわち、第１係合部３１は、図１２に示した実施形態２と同様、外周側ケース部１２の手前側部１２ｂの中間部に設けられた係合突起１８と、これに対向する内周側ケース部５０の第１ケース部５１の外周面における厚み方向の中間部に設けられた鍔部３５とを備え、この鍔部３５に設けられた係止孔３５ａに、外周側ケース部１２の係合突起１８が係脱可能に係合することにより、第１ケース部５１を外周ケース部１２に結合するように構成されている。
【００７５】
これにより、第１係合部３１は、図１２に示したように、内周側ケース部５０の鍔部３５がその厚み方向に対し対称に形成され、第１ケース部５１を表裏反転させても、外周側ケース部１２の係合突起１８が第１ケース部５１の鍔部３５に設けられた係止孔３５ａに係合したときに、外周側ケース部１２の上面と第１ケース部５１の上面（つまり表面５１ｂと裏面５１ｃとの一方の面）とがほぼ同一平面になるように構成されている。
【００７６】
第２係合部３２は、図１３に示した実施形態２と同様、外周側ケース部１２の手前側部１２ｂの両側縁部に設けられた係合突起３６と、これに対向する第１ケース部５１の外周面における厚み方向の中間部に設けられた鍔部３７とを備え、この鍔部３７に設けられた係止孔３７ａに、外周側ケース部１２の係合突起３６が係脱可能に係合することにより、第１ケース部５１を外周ケース部１２に結合するように構成されている。
【００７７】
これにより、第２係合部３２は、図１３に示したように、第１ケース部５１の鍔部３７がその厚み方向に対し対称に形成され、第１ケース部５１を表裏反転させても、外周側ケース部１２の係合突起３６が第１ケース部５１の鍔部３７の係止孔３７ａに係合したときに、外周側ケース部１２の上面と第１ケース部５１の上面（つまり表面５１ｂと裏面５１ｃとの一方の面）とがほぼ同一平面になるように構成されている。
【００７８】
第３係合部３３は、図１４に示した実施形態２と同様、外周側ケース部１２の手前側部１２ｂと反対側に位置する両側に設けられた側壁部２２の内側面に設けられた係止凹部２３と、これに対向する第２ケース部５２の内周面における厚み方向の中間部に設けられた係合突起３８とを備え、この係合突起３８が外周側ケース部１２の係止凹部２３に係脱可能に係合することにより、第２ケース部５２を外周ケース部１２に結合するように構成されている。
【００７９】
これにより、第３係合部３３は、図１４に示したように、第２ケース部５２の係合突起３８がその厚み方向に対し対称に形成され、第２ケース部５２を表裏反転させても、外周側ケース部１２の係止凹部２３に第２ケース部５２の係合突起３８が係合したときに、外周側ケース部１２の上面と第２ケース部５２の上面（つまり表面５２ｂと裏面５２ｃとの一方の面）とがほぼ同一平面になるように構成されている。
【００８０】
第４係合部３４は、図１１に示した実施形態２と同様、外周側ケース部１２の両側の側部１２ａにおける各裏面（図１１では上面）に設けられた係合突起２５と、これに対向する第１、第２ケース部５１、５２の各両側面における厚み方向の中間部に設けられて鍔状縁部に設けられた係止孔３９とを備え、この係止孔３９に外周側ケース部１２の係合突起２５が係脱可能に係合することにより、第１、第２ケース部５１、５２を外周ケース部１２に結合するように構成されている。
【００８１】
これにより、第４係合部３４も、第２ケース部５２の係止孔３９がその厚み方向に対称に形成され、第１、第２ケース部５１、５２をそれぞれ反転させても、外周側ケース部１２の係合突起２５が第１、第２ケース部５１、５２の係止孔２６に係合したときに、外周側ケース部１２の上面と第１、第２ケース部５１、５２の上面（つまり表面５１ｂ、５２ｂと裏面５１ｃ、５２ｃとの一方の各面）とがほぼ同一平面になるように構成されている。
【００８２】
このような電子辞書の第２ケース２によれば、内周側ケース５０が第１、第２ケース部５１、５２に分割されているので、実施形態１、３と同様の作用効果があるほか、特に内周側ケース部５０の第１、第１、第２ケース部５１、５２が表裏対称に形成されているので、図２１に示すように、第１、第２ケース部５１、５２を表裏反転させて外周側ケース部１２に取り付けることができ、これにより第１、第２ケース部５１、５２の色を簡単に替えることができる。
【００８３】
すなわち、第１、第２ケース部５１、５２の各表面５１ｂ、５２ｂと各裏面５１ｃ、５２ｃとは異なる色で塗装されていることにより、第１ケース部５１の表面５１ｂを外周側ケース部１２の表面側に向けて外周側ケース部１２に取り付けると共に、第２ケース部５２の表面５２ｂを外周側ケース部１２の表面側に向けて外周側ケース部１２に取り付けると、第１ケース部５１の表面５１ｂの色と、第２ケース部５２の表面５２ｂの色と、外周側ケース部１２の色との複数の色の組み合わせになる。
【００８４】
また、図２１に示すように、内周側ケース部５０の第１ケース部５１の裏面５１ｃを外周側ケース部１２の表面側に向けて外周側ケース部１２に取り付けると共に、内周側ケース部５０の第２ケース部５２の裏面５２ｃを外周側ケース部１２の表面側に向けて外周側ケース部１２に取り付けると、第１ケース部５１の裏面５１ｃの色と、第２ケース部５２の裏面５２ｃの色と、外周側ケース部１２の色との複数の色の組み合わせになる。
【００８５】
また、図２１に示すように、内周側ケース部５０の第１ケース部５１の表面５１ｂを外周側ケース部１２の表面側に向けて外周側ケース部１２に取り付けると共に、内周側ケース部５０の第２ケース部５２の裏面５２ｃを外周側ケース部１２の表面側に向けて外周側ケース部１２に取り付けると、第１ケース部５１の表面５１ｂの色と、第２ケース部５２の裏面５２ｃの色と、外周側ケース部１２の色との複数の色の組み合わせになる。
【００８６】
さらに、内周側ケース部５０の第１ケース部５１の裏面５１ｃを外周側ケース部１２の表面側に向けて外周側ケース部１２に取り付けると共に、内周側ケース部５０の第２ケース部５２の表面５２ｂを外周側ケース部１２の表面側に向けて外周側ケース部１２に取り付けると、第１ケース部５１の裏面５１ｃの色と、第２ケース部５２の表面５２ｂの色と、外周側ケース部１２の色との複数の色の組み合わせになる。
【００８７】
このように、内周側ケース部５０の第１、第２ケース部５１、５２をそれぞれ表裏反転させて外周側ケース部１２に取り付けるだけで、第１、第２ケース部５１、５２の色を簡単に替えることができ、これにより色の異なる複数種類の内周側ケース部５０を用意しなくても、第１、第２ケース部５１、５２による色の組み合わせを増やすことができるので、より一層、色バリエーションを豊富にすることができる。
【００８８】
特に、内周側ケース部５０の第１、第２ケース部５１、５２と外周側ケース部１２とを結合する第１〜第４係合部３１〜３４のうち、内周側ケース部５０の第１、第２ケース部５１、５２に設けられた第１〜第４係合部３１〜３４の各一部、つまり第１係合部３１の鍔部３５およびその係止孔３５ａ、第２係合部３２の鍔部３７およびその係止孔３７ａ、第３係合部３３の係合突起３８、第４係合部３４の鍔状縁部の係止孔３９が、それぞれ内周側ケース部５０の厚み方向に対して対称に形成されているので、第１、第２ケース部５１、５２を表裏反転させても、第１〜第４係合部３１〜３４によって外周側ケース部１２に対し第１、第２ケース部５１、５２を表裏同じ状態で簡単に且つ容易に取り付けて一体化することができる。
【００８９】
なお、上記実施形態１〜４では、外周側ケース部１２と内周側ケース部１３、３０、４０、５０との両者をそれぞれ合成樹脂で形成した場合について述べたが、これに限らず、例えば外周側ケース部１２を金属で形成しても良い。このように構成すれば、金属製の外周側ケース部１２によってフロントケース１０および第２ケース２全体の剛性を高めることができ、これにより第２ケース２内に設けられる補強部材を廃止することができるので、部品点数を削減することができると共に、低価格なものを得ることができる。
【００９０】
また、これに限らず、例えば外周側ケース部１２をエラストマで形成しても良い。このように構成すれば、エラストマからなる外周ケース部１２によってフロントケース１０および第２ケース２の耐衝撃性を高めることができ、これによりフロントケース１０が外部から衝撃を受けても、第２ケース２の内部に設けられた電子部品を良好に保護することができる。
【００９１】
また、内周側ケース部１３、３０、４０、５０を光透過性を有する合成樹脂により形成しても良い。このように構成すれば、光透過性を有する合成樹脂からなる内周側ケース部１３、３０、４０、５０を導光板として使用することができる。このため、第２ケース２内に照明用の光源を設ければ、暗い所でキー操作するときに、光源からの光を内周側ケース部１３、３０、４０、５０で導いて各キートップ５ａを明るく照明することができ、これにより暗い所でも良好にキー操作をすることができる。
【００９２】
なおまた、上記実施形態１〜４では、機器ケースとして、第１、第２ケース１、２のうち、キーボード５を有する第２ケース２に適用した場合について述べたが、これに限らず、表示部４を有する第１ケース１にも適用することができる。この場合には、第１ケース１をフロントケースとリアケースとで構成し、このフロントケースを外周側ケース部と内周側ケースとで構成すれば良い。
【００９３】
また、上記実施形態１〜４では、電子辞書の機器ケースに適用した場合について述べたが、これに限らず、携帯電話機、ＰＤＡ（パーソナル・デジタル・アシスタント）などの折り畳み式の電子機器の機器ケースに適用することができるほか、必ずしも折り畳み式の電子機器である必要はなく、一つのケースに表示部とキーボードとを有する電子機器の機器ケースにも適用することができる。
【図面の簡単な説明】
【００９４】
【図１】この発明を適用した電子辞書を開いて使用する状態を示した斜視図である。（実施形態１）
【図２】図１の側面図である。
【図３】図１の第２ケースを示した平面図である。
【図４】図３の第２ケースにおける外周側ケース部と内周側ケース部とを示し、（ａ）は外周側ケース部の平面図、（ｂ）は内周側ケース部の平面図である。
【図５】図３の第２ケースを下側から見た裏面図である。
【図６】図５の分解斜視図である。
【図７】図５のＡ−Ａ矢視における第１係合部を示した拡大断面図である。
【図８】図５のＢ−Ｂ矢視における第２係合部を示した拡大断面図である。
【図９】図５のＣ−Ｃ矢視における第３係合部を示した拡大断面図である。
【図１０】この発明を適用した電子辞書の第２ケースを示した平面図である。（実施形態２）
【図１１】図１０の第２ケースを下側から見た裏面図である。
【図１２】図１１のＤ−Ｄ矢視における第１係合部を示した拡大断面図である。
【図１３】図１１のＥ−Ｅ矢視における第２係合部を示した拡大断面図である。
【図１４】図１１のＦ−Ｆ矢視における第３係合部を示した拡大断面図である。
【図１５】図１０の第２ケースを組み立てる複数の工程を示した図である。
【図１６】この発明を適用した電子辞書の第２ケースを示した平面図である。（実施形態３）
【図１７】図１６の第２ケースの内周側ケース部を分解して示した平面図である。
【図１８】図１６の第２ケースを下側から見た裏面図である。
【図１９】この発明を適用した電子辞書の第２ケースを示した平面図である。（実施形態４）
【図２０】図１９の第２ケースを下側から見た裏面図である。
【図２１】図１９の第２ケースを組み立てる複数の工程を示した図である。
【符号の説明】
【００９５】
１  第１ケース
２  第２ケース
３  ヒンジ部
４  表示部
５  キーボード
５ａ  キートップ
１０  フロントケース
１１  リアケース
１２  外周側ケース部
１３、３０、４０、５０  内周側ケース部
１２ｃ、１３ａ、４１ａ、４２ａ  キー挿入孔
１４〜１７  第１〜第４係合部
３０ａ  内周側ケース部の表面
３０ｂ  内周側ケース部の裏面
３１〜３４  第１〜第４係合部
４１、５１  第１ケース部
４２、５２  第２ケース部
５１ａ、５２ａ  キー挿入孔
５１ｂ  第１ケース部の表面
５１ｃ  第１ケース部の裏面
５２ｂ  第２ケース部の表面
５２ｃ  第２ケース部の裏面
【図１】
2006140313.tif 000003
【図２】
2006140313.tif 000004
【図３】
2006140313.tif 000005
【図４】
2006140313.tif 000006
【図５】
2006140313.tif 000007
【図６】
2006140313.tif 000008
【図７】
2006140313.tif 000009
【図８】
2006140313.tif 000010
【図９】
2006140313.tif 000011
【図１０】
2006140313.tif 000012
【図１１】
2006140313.tif 000013
【図１２】
2006140313.tif 000014
【図１３】
2006140313.tif 000015
【図１４】
2006140313.tif 000016
【図１５】
2006140313.tif 000017
【図１６】
2006140313.tif 000018
【図１７】
2006140313.tif 000019
【図１８】
2006140313.tif 000020
【図１９】
2006140313.tif 000021
【図２０】
2006140313.tif 000022
【図２１】
2006140313.tif 000023